(57)【要約】【課題】  ハードディスク装置等のデータ記録装置において、本体を保護する密閉ケースを構成するシャーシとカバーの固定を取付ネジ等を用いずに行うことにより、部品点数の削減、組立工数の低減を図ることを課題とする。【解決手段】  データを記録する磁気ディスク装置本体部がシャーシに固定されると共に、カバーが被せられて密閉されたデータ記録装置において、前記シャーシとカバーには、相互に係合して前記シャーシとカバーとを密着接合させるシャーシ側係合部とカバー側係合部が一体形成されていることを特徴とする。【選択図】  図１
2005209305.tif 000002
【特許請求の範囲】
【請求項１】
データを記録する磁気ディスク装置本体部がシャーシに固定されると共に、カバーが被せられて密閉されたデータ記録装置において、
前記シャーシとカバーには、相互に係合して前記シャーシとカバーとを密着接合させるシャーシ側係合部とカバー側係合部が一体形成されていることを特徴とするデータ記録装置。
【請求項２】
前記シャーシ側係合部と前記カバー側係合部とは、相互に螺合するネジにより構成されていることを特徴とする請求項１記載のデータ記録装置。
【発明の詳細な説明】
【技術分野】
【０００１】
本発明は、データ記録装置、例えばハードディスク装置（ＨＤＤ）における内部への外部からの塵埃等の侵入を防止する構造に関する。
【背景技術】
【０００２】
ＨＤＤ等の高密度のデータ記録装置は、一般に外部からの塵埃等の侵入を防止するために、カバーが被せられた密閉構造に形成されている。このＨＤＤについて、図２を参照して説明する。図２は、従来のＨＤＤを示す斜視図である。
【０００３】
ＨＤＤ５０は、シャーシ５１と、Ｏリング５３と、カバー５２と、カバー５２を取付け固定する取付ネジ５４等、により構成されている。シャーシ５１は、データを記録する磁気ディスク５、ディスク５を高速回転させるモータ４、ディスク５に対してデータを読み書きする磁気ヘッド３、ヘッド３の位置を移動する駆動装置２等からなるＨＤＤ本体部６を収納するもので、アルミダイキャスト等で角型形状に成形されている。尚、ＨＤＤ本体部６は、ネジ等によりシャーシ５１に固定されている。Ｏリング５３は、外部からの塵埃等の侵入を防ぐために設けられたパッキンの働きをするもので、ゴム系の樹脂材等で成形されている。カバー５２は、シャーシ５１に被せることにより、シャーシ５１と共に密閉空間を生成して、ＨＤＤ本体部６を保護するもので、金属材等で成形されている。尚、Ｏリング５３がシャーシ５１とカバー５２に挟持圧縮されて、密閉空間が形成される。
【０００４】
カバー５２の内面には、Ｏリング５３を装着するための溝５２ａが形成され、また外周部にはネジ止め固定用の取付孔が形成されて、取付ネジ５４によりシャーシ５１とカバー５２が密着固定されるようになっている。
【０００５】
このＨＤＤ５０は、カバー５２の溝５２ａにＯリング５３を嵌め込んだ後、カバー５２をシャーシ５１（ＨＤＤ本体部６が固定された状態のもの）に被す。そして、取付ネジ５４でネジ止め固定することにより組立てられる。ＨＤＤ５０は、ノート型コンピュータ等の小型装置にも適用可能とするため、ディスクを回転用モータや磁気ヘッドを小型軽量化して薄型化する発明がなされている(特許文献１等)。
【特許文献１】特開２０００−７６８０７号公報
【発明の開示】
【発明が解決しようとする課題】
【０００６】
上述のような従来のＨＤＤ等のデータ記録装置では、Ｏリングを介在させてカバーを被せ、取付ネジ等でネジ止め固定しているため、一般的には複数の取付ネジが必要で、また面倒なネジ締め作業がネジの本数分必要となり、コストアップとなっている。
【０００７】
本発明は、上記のような問題に鑑みなされたもので、シャーシにカバーを容易に取付け固定できるデータ記録装置を実現することを課題とする。
【課題を解決するための手段】
【０００８】
上記目的を達成するために、本発明は、データを記録する磁気ディスク装置本体部がシャーシに固定されると共に、カバーが被せられて密閉されたデータ記録装置において、前記シャーシとカバーには、相互に係合して前記シャーシとカバーとを密着接合させるシャーシ側係合部とカバー側係合部が一体形成されていることを特徴とするものである。
【０００９】
また、前記シャーシ側係合部と前記カバー側係合部とは、相互に螺合するネジにより構成されていることを特徴とするものである。
【発明の効果】
【００１０】
本発明に係るデータ記録装置では、シャーシとカバー自体に係合構造が設けられているため、取付ネジ等の部品が削減され、また取付ネジによるネジ締め作業工数が低減されるので、コストダウンを図ることができる。また、ネジによる係合構造とすれば、Oリング等の密閉用部品を削減でき、またシャーシ、カバーを金属とすれば、磁気ディスク装置本体部周囲を全て金属で覆えるので、外部からの電磁ノイズあるいは静電ノイズの侵入が、より確実に防止できる。そして、シャーシとカバーによる密閉空間を円柱状とすることにより、ディスクの高速回転時に発生する内部の空気流動がよりスムーズなものとなり、ディスクの回転もスムーズとなるため、モータ負荷が軽減できる。
【発明を実施するための最良の形態】
【００１１】
本発明の実施の形態に係わるＨＤＤ１０について、図面を参照して説明する。
【００１２】
図１は本発明の実施の形態に係わるＨＤＤを示す外観図で、（ａ）は斜視図、（ｂ）はカバーとシャーシとの接合部断面図である。
【００１３】
ＨＤＤ１０は、シャーシ１１とカバー１２と空気流路壁１３等により構成されている。
【００１４】
シャーシ１１は、データを記録するディスク５、ディスク５を高速回転させるモータ４、ディスク５に対してデータを読み書きするヘッド３、ヘッド３の位置を移動する駆動装置２等からなるＨＤＤ本体部６を収納するもので、アルミダイキャスト等で有底円筒形状に成形されている。尚、ＨＤＤ本体部６はシャーシ１１にネジ等で固定されている。そして、シャーシ１１の外周面部には、ネジ部１１ａと台座１１ｂが形成されている。空気流路壁１３は、ディスク５の矢印Ｖ１１方向への高速回転により発生する内部の空気の流れをディスク５の回転に沿った方向に誘導してディスク５の回転に対する空気抵抗を少なくし、モータ負荷を軽減するものである。このため、空気流路壁１３は、ディスク５の円形形状に対応して、つまりディスク５の外周に沿った形状の薄板の樹脂材等で成形され、シャーシ１１に固定されている。
【００１５】
カバー１２は、有底円筒状に金属材等で成形されており、周壁の内周面にはシャーシ１１のネジ部１１ａに螺合するネジ部１２ａが形成されている。このカバー１２は、カバー１２のネジ部１２ａがシャーシ１１のネジ部１１ａに螺合される寸法で形成される。
【００１６】
ＨＤＤ１０の組立は、シャーシ１１にＨＤＤ本体部６（ディスク５、モータ４、ヘッド３、駆動装置２等が装着された状態のもの）と空気流路壁１３をネジ等で取付固定した後、カバー１２のネジ部１２ａをシャーシ１１のネジ部１１ａに螺合し、カバー１２の下部面がシャーシ１１の台座１１ｂに当接押圧するようにネジ込み固定されている。尚、空気流路壁１３は、図１に示すように、ディスク５の外周面に沿わせるように配設されて、シャーシ１１に取付固定されている。これにより、ＨＤＤ１０は、シャーシ１１にカバー１２が直接螺合されて組立てられ、密閉構造にされているため、コスト低減と外部からの塵埃等の侵入を防止することができる。
【００１７】
尚、本例では、カバー１２の下部面をシャーシ１１の台座１１ｂに当接するまでネジ込む構造であったが、カバー１２の内部底面にシャーシ１１の壁面上部面が当接するまでネジ込む構造であっても良い。また、カバー１２のネジ部１２ａに電気伝導性を有するグリースを塗布して、カバー１２をシャーシ１１に螺合固定し、内部の気密性をより高めるようにすることもできる。
【００１８】
尚、本例では、内部密閉空間を円柱状としたが、その他の形状とすることもできる。
【００１９】
また、内部密閉空間は、円柱状で外形を他の形状とすることもできる。
【００２０】
以上のように、本実施の形態に係るＨＤＤ１０においては、カバー１２とシャーシ１１とを他の固定部品を用いることなく固定でき、ネジ構造により気密性も保たれるので、Oリングや取付ネジ等の部品を削減でき、また取付ネジによるネジ締め作業工数も低減できて、コストダウンを図ることができる。また、金属製のカバー１２とシャーシ１１が直接固定されるので電磁シールド性が向上し、外部からの電磁ノイズあるいは静電ノイズの侵入をより効果的に防止できる。
【００２１】
また、本実施形態によるＨＤＤ１０の場合、シャーシ１１とカバー１２とで形成される密閉空間が円柱状で、比較的空気の流れがスムーズとなるため、空気流路壁１３を省略しても良い。
【図面の簡単な説明】
【００２２】
【図１】本発明の実施の形態に係るＨＤＤを示す外観図である。
【図２】従来のＨＤＤを示す斜視図である。
【符号の説明】
【００２３】
１０、５０・・・ＨＤＤ
１１、５１・・・シャーシ
１２、５２・・カバー
【図１】
2005209305.tif 000003
【図２】
2005209305.tif 000004